【手続補正書】
【提出日】平成15年11月6日(2003.11.6)
【手続補正１】
【補正対象書類名】明細書
【補正対象項目名】特許請求の範囲
【補正方法】変更
【補正の内容】
【特許請求の範囲】
【請求項１】
画像形成装置本体に着脱可能なプロセスカートリッジにおいて、
電子写真感光体と、
前記電子写真感光体に形成された静電潜像を現像剤を用いて現像する現像手段と、
現像剤と接触する位置に配置され、少なくとも一対の一定間隔にて並置された部分を有する入力側及び出力側電極を備えフレキシブル基板で構成された測定電極部材と、
現像剤と接触することの無い位置に配置され、少なくとも一対の一定間隔にて並置された部分を有する入力側及び出力側電極を備えフレキシブル基板で構成された基準電極部材と、
測定電極部材の貼付け面と、
基準電極部材の貼付け面と、
前記貼付け面と夫々の電極部材間に空気が封止されないように貼付け面と外部とを通ずる空気の通路を設けた貼付け面を有する部材と、
を有することを特徴とするプロセスカートリッジ。
【請求項２】
前記測定電極部材の貼り付け面には前記測定電極部材の外形に対して完全に内側の領域に入っている少なくとも１本の第１の溝と、前記基準電極部材の貼り付け面には基準電極部材の外形に対して完全に内側の領域に入っている少なくとも１本の第２の溝を設け、第１の溝と第２の溝の中の空気が密封状態でない事を特徴とする請求項１に記載のプロセスカートリッジ。
【請求項３】
前記測定電極部材貼り付け面と前記基準電極部材貼り付け面に設けた溝の貼り付け面上のパターンが略同形状である事を特徴とする請求項２に記載のプロセスカートリッジ。
【請求項４】
前記測定電極部材及び前記基準電極部材の貼り付け面が肉厚である部材の表裏の平面からなり、前記第１の溝と前記第２の溝が肉厚のある部材を貫通する貫通穴で連通しており、前記基準電極部材の外形の内側と外側をまたぐ位置に第３の溝を設けた事を特徴とする請求項２又は３に記載のプロセスカートリッジ。
【請求項５】
現像剤容器中に設けられ現像剤の残量を検出する現像剤残量検知装置において、
現像剤と接触する位置に配置され、少なくとも一対の一定間隔に並置された部分を有する入力側及び出力側電極を備えフレキシブル基板で構成された測定電極部材と、
現像剤と接触することの無い位置に配置され、少なくとも一対の一定間隔に並置された部分を有する入力側及び出力側電極を備えフレキシブル基板で構成された基準電極部材と、
測定電極部材の貼付け面と、基準電極部材の貼付け面と、
前記貼付け面と夫々の電極部材間に空気が封止されないように貼付け面と外部とを通ずる空気の通路を設けた貼付け面を有する部材と、
を有することを特徴とする現像剤残量検知装置。
【請求項６】
前記測定電極部材の貼り付け面には前記測定電極部材の外形に対して完全に内側の領域に入っている少なくとも１本の第１の溝と、前記基準電極部材の貼り付け面には基準電極部材の外形に対して完全に内側の領域に入っている少なくとも１本の第２の溝を設け、第１の溝と第２の溝の中の空気が密封状態でない事を特徴とする請求項５に記載の現像剤残量検知装置。
【請求項７】
前記測定電極部材貼り付け面と前記基準電極部材貼り付け面に設けた溝の貼り付け面上のパターンが略同形状である事を特徴とする請求項６に記載の現像剤残量検知装置。
【請求項８】
前記測定電極部材及び前記基準電極部材の貼り付け面が肉厚のある部材の表裏の平面からなり、前記第１の溝と前記第２の溝が肉厚のある部材を貫通する貫通穴で連通しており、前記基準電極部材の外形の内側と外側をまたぐ位置に第３の溝を設けた事を特徴とする請求項６又は７に記載の現像剤残量検知装置。
【請求項９】
現像手段へ供給する現像剤を収納し、現像剤の残量を検出する現像剤残量検知装置を有し、現像手段へ現像剤を供給するための供給開口を有する現像剤容器において、
現像剤と接触する位置に配置され、少なくとも一対の一定間隔にて並置された部分を有する入力側及び出力側電極を備えフレキシブル基板で構成された測定電極部材と、
現像剤と接触することの無い位置に配置され、少なくとも一対の一定間隔にて並置された部分を有する入力側及び出力側電極を備えフレキシブル基板で構成された基準電極部材と、
測定電極部材の貼付け面と、
基準電極部材の貼付け面と、
前記貼付け面と夫々の電極部材間に空気が封止されないように貼付け面と外部とを通ずる空気の通路を設けた貼付け面を有する部材と、
を有することを特徴とする現像剤容器。
【請求項１０】
前記測定電極部材の貼付け面には前記測定電極部材の外形に対して完全に内側の領域に入っている少なくとも１本の第１の溝と、前記基準電極部材の貼り付け面には基準電極部材の外形に対して完全に内側の領域に入っている少なくとも１本の第２の溝を設け、第１の溝と第２の溝の中の空気が密封状態でない事を特徴とする請求項９に記載の現像剤容器。
【請求項１１】
前記測定電極部材貼り付け面と前記基準電極部材貼り付け面に設けた溝の貼り付け面上のパターンが略同形状である事を特徴とする請求項１０に記載の現像剤容器。
【請求項１２】
前記測定電極部材及び前記基準部材の貼り付け面が肉厚のある部材の表裏の平面からなり、前記第１の溝と前記第２の溝が肉厚のある部材を貫通する貫通穴で連通しており、前記基準電極部材の外形の内側と外側をまたぐ位置に第３の溝を設けた事を特徴とする請求項１０又は１１に記載の現像剤容器。
【請求項１３】
プロセスカートリッジを着脱可能で記録媒体に画像を形成する電子写真画像形成装置において、
ａ．電子写真感光体と、
前記電子写真感光体に形成された静電潜像を現像剤を用いて現像する現像手段と、
現像剤と接触する位置に配置され、少なくとも一対の一定間隔にて並置された部分を有する入力側及び出力側電極を備えフレキシブル基板で構成された測定電極部材と、
現像剤と接触することの無い位置に配置され、少なくとも一対の一定間隔にて並置された部分を有する入力側及び出力側電極を備えフレキシブル基板で構成された基準電極部材と、
測定電極部材の貼付け面と、
基準電極部材の貼付け面と、
前記貼付け面と夫々の電極部材間に空気が封止されないように貼付け面と外部とを通ずる空気の通路を設けた貼付け面を有する部材と、
を有するプロセスカートリッジを取り外し可能に装着する装着手段と、
ｂ．前記記録媒体を搬送するための搬送手段と、
を有することを特徴とする電子写真画像形成装置。
【請求項１４】
現像カートリッジを着脱可能で記録媒体に画像を形成する電子写真画像形成装置において、
ａ．前記電子写真感光体に形成された静電潜像を現像剤を用いて現像する現像手段と、
現像剤と接触する位置に配置され、少なくとも一対の一定間隔にて並置された部分を有する入力側及び出力側電極を備えフレキシブル基板で構成された測定電極部材と、
現像剤と接触することの無い位置に配置され、少なくとも一対の一定間隔にて並置された部分を有する入力側及び出力側電極を備えフレキシブル基板で構成された基準電極部材と、
測定電極部材の貼付け面と、
基準電極部材の貼付け面と、
前記貼付け面と夫々の電極部材間に空気が封止されないように貼付け面と外部とを通ずる空気の通路を設けた貼付け面を有する部材と、
を有する現像カートリッジを取り外し可能に装着する装着手段と、
ｂ．前記記録媒体を搬送するための搬送手段と、
を有することを特徴とする電子写真画像形成装置。
【請求項１５】
現像剤と接触する位置に配置され、少なくとも一対の一定間隔にて並置された部分を有する入力側及び出力側電極を備えフレキシブル基板で構成された測定電極部材の貼付け面と、
現像剤と接触することの無い位置に配置され、少なくとも一対の一定間隔にて並置された部分を有する入力側及び出力側電極を備えフレキシブル基板で構成された基準電極部材の貼付け面と、
前記貼付け面と夫々の電極部材間に空気が封止されないように貼付け面と外部とを通ずる空気の通路と、
を有することを特徴とする板部材。
【手続補正２】
【補正対象書類名】明細書
【補正対象項目名】００１３
【補正方法】変更
【補正の内容】
【００１３】
本出願に係る第５の発明は、現像剤容器中に設けられ現像剤の残量を検出する現像剤残量検知装置において、現像剤と接触する位置に配置され、少なくとも一対の一定間隔に並置された部分を有する入力側及び出力側電極を備えフレキシブル基板で構成された測定電極部材と、現像剤と接触することの無い位置に配置され、少なくとも一対の一定間隔にて並置された部分を有する入力側及び出力側電極を備えフレキシブル基板で構成された基準電極部材と、測定電極部材の貼付け面と、基準電極部材の貼付け面と、前記貼付け面と夫々の電極部材間に空気が封止されないように貼付け面と外部とを通ずる空気の通路を設けた貼付け面を有する部材と、を有することを特徴とする現像剤残量検知装置である。


【手続補正３】
【補正対象書類名】明細書
【補正対象項目名】００１４
【補正方法】変更
【補正の内容】
【００１４】
本出願に係る第９の発明は、現像手段へ供給する現像剤を収納し、現像剤の残量を検出する現像剤残量検知装置を有し、現像手段へ現像剤を供給するための供給開口を有する現像剤容器において、現像剤と接触する位置に配置され、少なくとも一対の一定間隔に並置された部分を有する入力側及び出力側電極を備えフレキシブル基板で構成された測定電極部材と、現像剤と接触することの無い位置に配置され、少なくとも一対の一定間隔にて配置された部分を有する入力側及び出力側電極を備えフレキシブル基板で構成された基準電極部材と、測定電極部材の貼付け面と、基準電極部材の貼付け面と、前記貼付け面と夫々の電極部材間に空気が封止されないように貼付け面と外部とを通ずる空気の通路を設けた貼付け面を有する部材と、を有することを特徴とする現像剤容器である。


【手続補正４】
【補正対象書類名】明細書
【補正対象項目名】００１５
【補正方法】変更
【補正の内容】
【００１５】
本出願に係る第１３の発明は、プロセスカートリッジを着脱可能で記録媒体に画像を形成する電子写真画像形成装置において、
ａ．電子写真感光体と、前記電子写真感光体に形成された静電潜像を現像剤を用いて現像する現像手段と、現像剤と接触する位置に配置され、少なくとも一対の一定間隔にて並置された部分を有する入力側及び出力側電極を備えフレキシブル基板で構成された測定電極部材と、現像剤と接触することの無い位置に配置され、少なくとも一対の一定間隔にて並置された部分を有する入力側及び出力側電極を備えフレキシブル基板で構成された基準電極部材と、測定電極部材の貼付け面と、基準電極部材の貼付け面と、前記貼付け面と夫々の電極部材間に空気が封止されないように貼付け面と外部とを通ずる空気の通路を設けた貼付け面を有する部材と、を有するプロセスカートリッジを取り外し可能に装着する装着手段と、ｂ．前記記録媒体を搬送するための搬送手段と、
を有することを特徴とする電子写真画像形成装置である。


【手続補正５】
【補正対象書類名】明細書
【補正対象項目名】００１６
【補正方法】変更
【補正の内容】
【００１６】
本出願に係る第１４の発明は、現像カートリッジを着脱可能で記録媒体に画像を形成する電子写真画像形成装置において、
ａ．前記電子写真感光体に形成された静電潜像を現像剤を用いて現像する現像手段と、現像剤と接触する位置に配置され、少なくとも一対の一定間隔にて並置された部分を有する入力側及び出力側電極を備えたフレキシブル基板で構成された測定電極部材と、現像剤と接触することの無い位置に配置され、少なくとも一対の一定間隔にて並置された部分を有する入力側及び出力側電極を備えフレキシブル基板で構成された基準電極部材と、測定電極部材の貼付け面と、基準電極部材の貼付け面と、前記貼付け面と夫々の電極部材間に空気が封止されないように貼付け面と外部とを通ずる空気の通路を設けた貼付け面を有する部材と、を有する現像カートリッジを取り外し可能に装着する装着手段と、ｂ．前記記録媒体を搬送するための搬送手段と、
を有することを特徴とする電子写真画像形成装置である。


【手続補正６】
【補正対象書類名】明細書
【補正対象項目名】００１７
【補正方法】変更
【補正の内容】
【００１７】
本出願に係る第１５の発明は現像剤と接触する位置に配置され、少なくとも一対の一定間隔にて並置された部分を有する入力側及び出力側電極を備えフレキシブル基板で構成された測定電極部材の貼付け面と、現像剤と接触することの無い位置に配置され、少なくとも一対の一定間隔にて並置された部分を有する入力側及び出力側電極を備えフレキシブル基板で構成された基準電極部材の貼付け面と、前記貼付け面と夫々の電極部材間に空気が封止されないように貼付け面と外部とを通ずる空気の通路と、を有することを特徴とする板部材である。


【手続補正７】
【補正対象書類名】明細書
【補正対象項目名】００６５
【補正方法】変更
【補正の内容】
【００６５】
実施の形態は測定電極部材貼り付け面と基準電極部材貼り付け面に設けた溝が全てつながっている事により、第１の溝と第２の溝に突出部からの空気を行き渡らせる事が出来、気泡の発生を抑える。
【手続補正８】
【補正対象書類名】明細書
【補正対象項目名】００６６
【補正方法】変更
【補正の内容】
【００６６】
実施の形態は、測定電極部材及び基準電極部材の貼付け面を板部材にする事で貼付け後に組み立てが出来る為、組み立て性を向上させる事が出来る。
【手続補正９】
【補正対象書類名】明細書
【補正対象項目名】００６７
【補正方法】変更
【補正の内容】
【００６７】
【発明の効果】
以上説明したように、本発明によれば
高温高湿環境での放置において電極部材と電極部材を貼り付けた貼付け面の間に生じる気泡の発生を大幅に低減する事が出来る。
【手続補正１０】
【補正対象書類名】明細書
【補正対象項目名】００６８
【補正方法】変更
【補正の内容】
【００６８】
また、本発明にて、前記測定電極部材貼り付け面と前記基準電極部材貼り付け面に設けた溝を略同形状で形成する事で測定電極部材と基準電極部材の静電容量をほぼ同じにする事ができ現像剤検知ばらつきを低減する事が出来る。
【手続補正１１】
【補正対象書類名】明細書
【補正対象項目名】００６９
【補正方法】変更
【補正の内容】
【００６９】
更に、本発明にて、前記測定電極部材及び基準電極部材の貼り付け面が肉厚のある平面の表裏からなる事によって、一部品で測定電極部材と基準電極部材の貼付け面を持つ事が出来るので部品点数を削減できる。